(57)【要約】【課題】冷蔵庫庫内への熱負荷となる放熱パイプを冷蔵庫前面開口部に配設しないことにより省エネルギー効果を高めた冷蔵庫を提供する。【解決手段】庫内への熱負荷侵入を抑制するため、冷蔵庫本体１７の前面開口部には発汗防止用フロントコンデンサを配設せず、放熱パイプによる冷蔵庫庫内への熱負荷をなくし、省エネルギーを高めるとともに、庫内冷気の前面板への伝達を抑制することが可能となり、突出部３９を設けることにより庫外の熱を前面部３８に熱伝導し表面温度を上げることにより結露を防止できる。【選択図】図４
2005180720.tif 000002
【特許請求の範囲】
【請求項１】
少なくとも２つの貯蔵室を有し、前記貯蔵室の前面開口部にそれぞれ開閉自由な扉体と、前記貯蔵室間を仕切る仕切壁の前面部に仕切体を設け、仕切体の前面部に別部材の良熱伝導性材料で形成された突出部を設けたことを特徴とする冷蔵庫。
【請求項２】
少なくとも２つの貯蔵室を有し、前記貯蔵室の前面開口部にそれぞれ開閉自由な扉体と前記貯蔵室間を仕切る仕切壁の前面部に樹脂で形成した仕切体を設け、仕切体の前面部に別部材の良熱伝導性材料で形成された突出部を設けたことを特徴とする冷蔵庫。
【請求項３】
仕切体前面部に形成した突出部は、仕切体と対向する少なくとも２枚の扉体と扉体の隙間部に上下あるいは左右に挟み込まれる延長面を有することを特徴とする請求項１または２に記載の冷蔵庫。
【請求項４】
仕切体と対向する扉体には、磁性体を有するシール部材を設け、前記シール部材は、仕切体前面部に形成した突出部を上下或いは左右に挟み込むように前面部と接触することを特徴とする請求項１から請求項３のいずれか一項に記載の冷蔵庫。
【請求項５】
仕切体と対向する扉体に設けた磁性体を有するシール部材が接触する前面部は、良熱伝導性で出来た突出部を形成しておらず、樹脂で形成された前面部のシール部との対抗部裏面には磁性体を配設していることを特徴とする請求項１から請求項４のいずれか一項に記載の冷蔵庫。
【請求項６】
シール部材は、仕切体前面部と突出部延長面の両方に接触することを特徴とする請求項１から請求項５のいずれか一項に記載の冷蔵庫。
【請求項７】
突出部先端は、ドア前面より前に突出しないことを特徴とする請求項１から請求項６のいずれか一項に記載の冷蔵庫
【請求項８】
突出部先端は、平面部を設けたことを特徴とする請求項１から請求項７のいずれか一項に記載の冷蔵庫。
【請求項９】
突出部先端は、曲面を有することを特徴とする請求項１から請求項７のいずれか一項に記載の冷蔵庫。
【請求項１０】
突出部先端は、先細り形状とすることを特徴とする請求項１から請求項９のいずれか一項に記載の冷蔵庫。
【請求項１１】
突出部延長面は、傾斜を設けたことを特徴とする請求項１から請求項１０のいずれか一項に記載の冷蔵庫。
【請求項１２】
突出部内に発熱ヒータを配設したことを特徴とする請求項１から請求項１１のいずれか一項に記載の冷蔵庫。
【請求項１３】
突出部先端の平面部に発熱ヒータを配設したことを特徴とする請求項１から請求項１２のいずれか一項に記載の冷蔵庫。
【請求項１４】
仕切体内部に硬質ウレタンフォームを充填したことを特徴とする請求項１から請求項１３のいずれか一項に記載の冷蔵庫。
【請求項１５】
冷蔵庫の冷媒を可燃性自然冷媒とすることを特徴とする請求項１から請求項１４のいずれか一項に記載の冷蔵庫。
【請求項１６】
真空断熱材を冷蔵庫の内箱と外箱との間に配設し、硬質ウレタンフォームで一体発泡することを特徴とする請求項１から請求項１５のいずれか一項に記載の冷蔵庫。
【発明の詳細な説明】
【技術分野】
【０００１】
本発明は、冷蔵庫の庫内を区画する仕切体周辺の断熱構成に関するものである。
【背景技術】
【０００２】
近年、冷蔵庫には、冷蔵庫や冷凍室など、少なくとも２つの貯蔵室を有するものが供されており、その貯蔵室間を仕切る仕切体の前面部に前面板が備えられている。従来のこの種の冷蔵庫としては、冷凍サイクルの放熱パイプの熱伝導によって前面板表面の露付きを防止したものがある。（例えば、特許文献１参照）
以下、図面を参照しながら上記従来の冷蔵庫を説明する。
【０００３】
図１０は、従来の冷蔵庫の縦断面図である。図１１は、従来の冷蔵庫の冷凍サイクル配管の透視図である。図１２は、従来の冷蔵庫の仕切体の断面図である。
【０００４】
図１０において冷蔵庫本体１は、上部仕切体２と、下部仕切体３によって中央に引き出し式冷凍室４、上部に冷蔵室５、下部に引き出し式野菜室６を区画形成している。また中央仕切体７により前記冷凍室４を上下２段の引き出し式冷凍室としている。冷蔵室５底部に設けられた低温室８は約−３℃のパーシャルフリージング温度に保たれている。
【０００５】
図１１において冷凍サイクルは圧縮機９と、サイドコンデンサ１０と、フロントコンデンサ１１と、キャピラリチューブ１２で構成されている。また冷却器１３で冷却された冷気は送風器１４によって前記の各室に送風される。
【０００６】
次に、仕切体内部の構造について、中央仕切体７を例にとって説明すると、図１２において前面板１５は上下に折曲部を形成した断面がコの字型であり、コの字型内部にはフロントコンデンサ１１の一部をなす放熱パイプ１６が配設されている。また前面板１５は鉄板のような熱伝導性のよい材料から構成され、放熱パイプ１６と熱交換するように接触して配設されている。また、１６ａは仕切体７の内部空間には発泡スチロール、軟質フォームなどの断熱材１６ａを挿入している。
【０００７】
以上のように構成された冷蔵庫について、以下その動作について説明する。圧縮機９で圧縮された冷媒はサイドコンデンサ１０を経てフロントコンデンサ１１へと入りキャピラリチューブ１２で減圧され冷却器１３で蒸発する。
【０００８】
冷却器１３で冷却された冷気は送風器１４で冷凍室４、冷蔵室５、野菜室６へと送風され各々の室を所定の温度に冷却する。
【０００９】
ここで庫内の冷却作用により仕切体２、３、７は冷却され結露を生じやすくなるが、冷凍サイクルの運転中は４０℃前後になる放熱パイプ１６からの熱伝達によって、前面板１５の温度は４０℃弱に保たれ、前面板１５の表面の露付きを防止する。
【特許文献１】特開平７−１８０９４４号公報
【発明の開示】
【発明が解決しようとする課題】
【００１０】
しかしながら、上記従来の構成では、前面板１５の上下両端部は強度確保の面から冷凍室４の内側に延出しており、この延出部は断熱材１６ａによって囲まれているが、断熱材１６ａの断熱性能は発泡スチロール、軟質フォームなどのために十分高いものでなく、かつ挿入作業性を考慮して密着した配置構造にできないため空隙が生じる。そのため放熱パイプ１６からの放熱の一部は前面板１５の両端部を通じて冷凍室４内に熱負荷として侵入しやすく冷蔵庫の冷凍システムの効率を低下させるという問題が生じる。また逆に、庫内の冷気によって、前面板１５の両端部を通じて、前面板１５は冷却され結露を生じることがある。
【００１１】
また、放熱パイプを廃止した場合に、前面板表面温度が低下し発汗する可能性がある。
【００１２】
また、断熱性を高めた冷蔵庫は、負荷が小さいので運転率が低くなる。発汗防止は、パイプの温度に依存するので、運転率が低いと効果のある運転時間も少ないので発汗防止が困難にある。
【００１３】
本発明は従来の課題を解決するものであり、仕切板およびその周辺の断熱性を高めることによって、仕切体前面板の温度低下を防止し、放熱パイプを廃止して熱負荷侵入低減による省エネルギー化を図るものである。また、前面板表面の温度を上昇し発汗を防止するものである。
【課題を解決するための手段】
【００１４】
上記従来の課題を解決するために、本発明の冷蔵庫は、仕切体に別部材の突起体を設ける構造手段と、仕切体を樹脂で形成する手段を設けたので、仕切体と突起体の熱伝達を遮断できるとともに、庫内冷気の前面板への伝達を熱伝導性の低いプラスチック樹脂材によって抑制することが可能となり、放熱パイプを配設しなくても前面部前方部に突起状の良熱伝導性の材質を複合することにより、庫外の熱影響を伝導し表面温度の劣化を防ぎ結露を防止することができる。
【発明の効果】
【００１５】
本発明の冷蔵庫は、庫内冷気の前面板への熱伝導を抑えると同時に、放熱パイプを配設しなくても庫外の熱影響を伝導し表面温度の劣化を防ぎ結露を防止することができるので、庫内への熱侵入を抑えることができ省エネルギーを図ることができる。
【発明を実施するための最良の形態】
【００１６】
請求項１に記載の発明は、少なくとも２つの貯蔵室を有し、前記貯蔵室の前面開口部にそれぞれ開閉自由な扉体と、前記貯蔵室間を仕切る仕切壁の前面部に仕切体を設け、仕切体の前面部に別部材の良熱伝導性材料で形成された突出部を設けたことにより、仕切体と突起体の熱伝達を遮断できるので、放熱パイプを配設しなくとも、外気の温度を仕切体前面部まで熱伝導しやすくなり、仕切体前面部の表面温度を上昇させ、結露を防止することができる。
【００１７】
請求項２に記載の発明は、少なくとも２つの貯蔵室を有し、前記貯蔵室の前面開口部にそれぞれ開閉自由な扉体と前記貯蔵室間を仕切る仕切壁の前面部に樹脂で形成した仕切体を設け、仕切体の前面部に別部材の良熱伝導性材料で形成された突出部を設けたことにより、プラスチック樹脂は金属と比較して熱容量が小さく、前面板表面に対する庫内側冷気の影響が小さく、前面板表面に対する庫内側の冷気の影響が少ないので、前面板表面の温度低下が抑えられ結露を防止することが可能である。放熱パイプを配設しなくとも、良熱伝導性の材料で突出部を形成することにより、外気の温度を仕切体前面部まで熱伝導しやすくすることにより、仕切体前面部の表面温度を上昇させ、結露を防止することができる。
【００１８】
請求項３に記載の発明は、請求項１または２記載の発明において、仕切体前面部に形成した突出部は、仕切体と対向する少なくとも２枚の扉体と扉体の隙間部に上下あるいは左右に挟み込まれる延長面を有することにより、扉体と扉体の隙間に突出することにより、突出部前面がより庫外付近に形成できるので、より外気温度に近い熱影響を拾うことができるので、前面板表面により高い温度を伝導させることができ。表面の発汗を防止できる。
【００１９】
請求項４に記載の発明は、請求項１から請求項３のいずれか一項に記載の発明において、仕切体と対向する扉体には、シール部材を設け、前記シール部材は、仕切体前面部に形成した突出部を上下或いは左右に挟み込むように前面部と接触することにより、シール部付近の隙間を詰めることにより、シール性を向上することができる。
【００２０】
請求項５に記載の発明は、請求項１から請求項４のいずれか一項に記載の発明において、仕切体と対向する扉体に設けた磁性体を有するシール部材が接触する前面部は、良熱伝導性で出来た突出部を形成しておらず、樹脂で形成された前面部のシール部との対抗部裏面には磁性体を配設することにより、シール面を樹脂にすることにより、冷気の影響を更に抑えるとともに、磁性体を内蔵することによりシール部と確実にシールすることができる。
【００２１】
請求項６に記載の発明は、請求項１から請求項５のいずれか一項に記載の発明において、シール部材は、仕切体前面部と突出部延長面の両方に接触することにより、２面でシールすることができ、シール性を更に高めることができるので熱侵入が低減できる。
【００２２】
請求項７に記載の発明は、請求項１から請求項６のいずれか一項に記載の発明において、突出部先端は、ドア前面より前に突出しないことにより、外観品位を落とさないことと同時に、突出部にひっかけることもなく安全性を確保することができる。
【００２３】
請求項８に記載の発明は、請求項１から請求項７のいずれか一項に記載の発明において、突出部先端は、平面部を設けたことにより、庫外の熱影響を受ける面を多くすることにより、前面部への熱伝導性を高くすることができる。
【００２４】
請求項９に記載の発明は、請求項１から請求項７のいずれか一項に記載の発明において、突出部先端は、曲面を有することにより、外観品位を向上することができるとともに、接触したときの安全性を確保することもできる。
【００２５】
請求項１０に記載の発明は，請求項１から請求項９のいずれか一項に記載の発明において、突出部先端は、先細り形状とすることにより、冷蔵庫正面の外観上、突出部を目立たなくすることによりデザイン性を高めるともに、前面部においては、広範囲に熱を伝導することができることにより発汗をおさえることができる。
【００２６】
請求項１１に記載の発明は、請求項１から請求項１０のいずれか一項に記載の発明において、突出部延長面は、傾斜を設けたことにより、前面部に広範囲で熱を伝える構造をより簡素な形状で形成することができる。
【００２７】
請求項１２に記載の発明は、請求項１から請求項１１のいずれか一項に記載の発明において、突出部内に発熱ヒータを配設したことにより、発熱ヒータの熱を利用し、外気温度の影響に関係なくより確実に仕切板前面板の表面温度を発汗しない程度に高く設定できるとともに、突出部内に発熱ヒータを配置することで貯蔵室内への発熱ヒータの熱影響を小さくできる。また、温度制御のできない一定温度の放熱パイプに比べて、必要な外気温度でのみ必要容量のヒータを発熱させればよいので無駄な電気代を使うことなく省エネルギーを図ることができる。
【００２８】
請求項１３に記載の発明は、請求項１から請求項１２のいずれか一項に記載の発明において、突出部先端の平面部に発熱ヒータを配設したことにより、発熱ヒータの熱を利用し、外気温度の影響に関係なくより確実に仕切板前面板の表面温度を発汗しない程度に高く設定できるとともに、突出部内に発熱ヒータを配置することで貯蔵室内への発熱ヒータの熱影響を小さくできる。また、温度制御のできない一定温度の放熱パイプに比べて、必要な外気温度でのみ必要容量のヒータを発熱させればよいので無駄な電気代を使うことなく省エネルギーを図ることができる。また、突出部平面部のようにより庫外側にヒータを設置することにより、ヒータから発熱する余分な熱量を庫内に侵入させる必要がない。また、突出部は、良熱伝導性材料で形成されているため、先端のヒータ熱量を前面部表面に熱伝導しやすく、ヒータ容量も抑えることができる。
【００２９】
請求項１４に記載の発明は、請求項１から請求項１３のいずれか一項に記載の発明において、仕切体内部に硬質ウレタンフォームを充填したことにより、庫内への断熱を強化でき余分な熱量を庫内に侵入させないので省エネルギーを図ることができる。
【００３０】
請求項１５に記載の発明は、請求項１から請求項１４のいずれか一項に記載の発明において、冷蔵庫の冷媒を可燃性自然冷媒としたものであり、本発明における冷蔵庫はフロントコンデンサを配設しないので、システムボリュームが小さくなり冷媒量を削減することができ、冷媒漏洩時における安全性を高めることが可能な冷蔵庫を提供できる。
【００３１】
請求項１６に記載の発明は、請求項１から請求項１５のいずれか一項に記載の発明において、真空断熱材を冷蔵庫の内箱と外箱との間に配設し、硬質ウレタンフォームで一体発泡することにより、本発明における冷蔵庫はフロントコンデンサを配設せず庫内冷気の前面板への伝達を抑制する構造を有するので、真空断熱材の断熱性能により冷蔵庫の運転率が低下しても、運転率の影響を受ける放熱パイプを発汗防止手段としないので安定して発汗の防止を図ることができる。さらに真空断熱材は硬質ウレタンフォームの数倍の断熱性能を有するので冷蔵庫庫内への熱侵入を有効に防ぐことができ、省エネルギー効果の高い冷蔵庫を提供できる。
【００３２】
以下、本発明の実施の形態について、図面を参照しながら説明する。なお、この実施の形態によってこの発明が限定されるものではない。
【００３３】
（実施の形態１）
図１は、本発明の実施の形態１による冷蔵庫の正面図である。図２は、同実施の形態による冷蔵庫の縦断面図である。図３は、同実施の形態による冷蔵庫の冷凍サイクル配管の透視図である。図４は、同実施の形態による冷蔵庫の仕切体の断面図である。
【００３４】
図１から図４において、１７は冷蔵庫本体、上から冷蔵室１８、野菜室１９、製氷室２０、低温室２１、冷凍室２２を区画形成しており、製氷室２０と低温室２１は横に並んでいる。低温室２１は、温度コントロールができる切替室であってもかまわない。２３は、冷蔵室１８と野菜室１９を上下に仕切る仕切体、２４は、野菜室１９と製氷室２０、低温室２１を上下に仕切る仕切体、２５は、製氷室２０と低温室２１を左右に仕切る仕切体、２６は、製氷室２０、低温室２１と冷凍室２２を上下に仕切る仕切体である。
【００３５】
２７は冷蔵室１８の前面開口部にヒンジによって取付けた回転式扉、２８は野菜室１９の前面開口部に取付けた引き出し式扉、２９は製氷室２０に取り付けられた引出し式扉、３０は低温室２１に取り付けられた扉、３１は冷凍室２２に取り付けられた引出し式扉である。
【００３６】
３２は冷凍サイクルの冷却器であり、３３は冷却器３２の上方で冷凍室２２の後方に設けた強制通風用の送風機、３４は野菜室１９と低温室２１の後方に設けた風路制御手段であり、内部に冷蔵室１８、野菜室１９および低温室２１への冷気供給量を調整するダンパー（図示せず）を備えている。冷却器３２で冷却された冷気は送風機３３、風路制御手段３４によって前記各室に送風される。
【００３７】
３５は冷凍サイクルの圧縮機、３６はサイドコンデンサ、３７はキャピラリチューブである。なお、本実施の形態の冷蔵庫は、庫内への熱負荷侵入を抑制するため冷蔵庫本体１７の前面開口部には発汗防止用フロントコンデンサは配設していない。
【００３８】
図４において、冷蔵室１８と野菜室１９の仕切部を代表的に説明する。
【００３９】
仕切体２３はＡＢＳやポリプロピレン等のプラスチック樹脂で、前面部３８まで一体に成型されており、前面部３８には良熱伝導性材料で別部材として成型された突起形状を持つ突出部３９を備えており、突出部３９は、扉体２７と２８の隙間部４０に突出している。
【００４０】
突出部３９の先端部は、平面部３９ａと曲面部３９ｂを形成しており、扉体２７，２８の前面より内側で構成されている。突出部３８の延長面４１は、扉体２７と２８に平行に形成している。
【００４１】
４２は仕切体２６内に充填した硬質ウレタンフォームであり、冷蔵庫本体１７の硬質ウレタンフォーム充填発泡時、仕切体２３の左右の冷蔵庫本体１７との嵌合部に開口部（図示せず）を設け、一体に充填発泡している。
【００４２】
４３、４４は、シール部材としてのガスケットで、内部に磁性体４３ａ、４４ａを有しており、それぞれ扉体２７，２８に配設されている。シール部材４３，４４は良熱伝導性材料で形成している突出部３９が形成されていない仕切部２３の前面部３８の内面に磁性体４５，４６を内蔵し完全に圧着している。
【００４３】
また、ガスケット４３，４４は、ひれ部４３ａ、４４ａを有し、突出部３９の延長面４１で接触している。
【００４４】
以上のように構成された冷蔵庫について、以下その動作を説明する。
【００４５】
冷凍サイクルを構成する圧縮機３５、サイドコンデンサ３６、キャピラリチューブ３７、冷却器３２の運転、および送風機３３、風路制御手段３４により、冷蔵室２０、野菜室２１、低温室３３および冷凍室２２は所定の温度に冷却される。ここで、本実施の形態の冷蔵庫１７は、庫内への熱負荷侵入を抑制するため冷蔵庫本体１７の前面開口部には発汗防止用フロントコンデンサを配設せず、仕切体２３の内部に硬質ウレタンフォーム４２を充填しているので、放熱パイプによる冷蔵庫庫内への熱負荷をなくし、省エネルギーを高めるとともに、庫内冷気の前面板への伝達を断熱性能の高い硬質ウレタンフォーム４２によって抑制することが可能となり、前面部３８の表面温度の低下を防ぐことができ、前面部３８の発汗を防止できる。
【００４６】
また、仕切体２３は前面部３８に備えられた良熱伝導性材料で形成した突出部３９により、仕切部２３の前面部３８に熱伝導し、前面部３８の温度を上昇させ発汗を防止することができる。
【００４７】
また、突出部３９の先端部に平面部３９ａを備えることにより、庫外の熱影響を拾いやすく前面部３８の表面温度を上昇しやすくできる。
【００４８】
また、突出部３９の先端部に曲面部３９ｂを備えることにより、外観上よくするとともに安全性も高い。
【００４９】
また、突出部３９の先端部を扉２７，２８より突出しないことにより外観上よくするとともに、安全性も高まる。
【００５０】
また、シール部材４３，４４に、ひれ部４３ａ、４４ａを設け、突出部３９と接触させることによりシール面を増加させより高いシール性を確保できることにより省エネルギーの効果が図れる。
【００５１】
また、前面板３８に対向する扉体２７、２８の下面部２７ａおよび上面部２８ａは良熱伝導性の金属材料であるアルミニウムあるいは鋼板で構成されていれば、扉体前面の外気の熱を、扉体２７、２８の上面部２８ａ及び下面部２７ａに設置する金属により、前面部３９の温度を適度に高め、結露を防止することができる。
【００５２】
なお、本実施の形態では、仕切体２３は、冷蔵庫本体１７の冷蔵温度帯を上下に仕切る場合で説明したが、冷凍室を２段構成とし、冷凍温度帯を上下に仕切る仕切体に適用してもよい。この場合、周囲との温度差が大きいので、より大きな省エネ効果を得ることができる。
【００５３】
また、仕切体２６は冷蔵庫本体１７の硬質ウレタンフォーム充填発泡時に一体に充填発泡したもので説明したが、あらかじめ仕切体１８に硬質ウレタンフォーム充填発泡し、その後、冷蔵庫本体１７に組み込んでもよい。この場合、仕切体１８内に確実に硬質ウレタンフォームが充填されるので、高い断熱性を安定して得ることができる。
【００５４】
（実施の形態２）
図５、本発明の実施の形態２による冷蔵庫の仕切体の断面図である。尚、実施の形態１と同一構成については、同一符号を付して詳細な説明を省略する。
【００５５】
仕切体２３の前面部４７には、延長面４８が斜面で構成されている先端が先細りの突出部４７を備え、突出部４９の先端内部には、ヒータ５０を配設している。
【００５６】
以上の構成において、先端先細りにより、外観品位を落とすことなく、斜面の延長面４８を庫外の熱が前面部４７の広範囲に伝導することにより表面温度を上昇できる。
【００５７】
また、先端部に排せつしたヒータ５０により、外気温度の影響によりはつねついより、発汗を確実に防止することができるとともに、先端部に配置することによりより庫内への熱影響が少なくなる。
【００５８】
（実施の形態３）
図６は、本実施の形態３による冷蔵庫の縦断面図である。なお、実施の形態１、２と同一構成については、同一符号を付して詳細な説明を省略する。
【００５９】
図６において、５１は真空断熱材であり、冷蔵庫の外箱５２に貼付される。本実施の冷蔵庫は外箱５２と内箱５３とを組み合わせ、その間に硬質ウレタンフォーム４１を発泡充填させ断熱性能に優れる筐体を形成している。なお本実施例では、冷蔵室２０の回転式扉２３と野菜室２１の引き出し式扉２６と冷凍室２２の引き出し式扉２７にも真空断熱材５１を配設させているので、より断熱性能が高くなっている。
【００６０】
また本実施の冷蔵庫において冷却器３２や圧縮機３５等で形成される冷凍サイクル中を流れる冷媒は可燃性自然冷媒のイソブタンを用いている。
【００６１】
以上の構成において、本実施の冷蔵庫の冷媒は可燃性自然冷媒を使用しているが、冷蔵庫はフロントコンデンサを配設しないので、システムボリュームが小さくなり冷媒量を削減されており、冷媒漏洩時における安全性が高い。さらに地球温暖化に対する影響が小さい自然冷媒を使用することは、地球環境にも配慮することにもなる。
【００６２】
また、従来の冷蔵庫は発汗防止用フロントコンデンサにより発汗を防いでいたが、冷蔵庫の運転率が低下すると発熱時間が短縮され発汗を発生させる恐れがあった。本実施の冷蔵庫は真空断熱材５１を用いて断熱性能に優れるので冷蔵庫の運転率が低下するが、庫内冷気の前面板への伝達を抑制する構造を有するので安定して発汗を防止はかることができる。さらに真空断熱材は硬質ウレタンフォームの数倍の断熱性能を有するので冷蔵庫庫内への熱侵入を有効に防ぐことができ、省エネルギー効果も高い。
【００６３】
なお、本実施の形態では、冷蔵庫の冷凍サイクルを流れる冷媒は可燃性自然冷媒であるイソブタンとしたが、ＨＦＣ１３４ａ等のフロン冷媒であっても構わない。
【産業上の利用可能性】
【００６４】
以上のように、本発明にかかる冷蔵庫は、庫内冷気の前面板への熱伝導を抑えると同時に、放熱パイプを配設しなくても庫外の熱影響を伝導し表面温度の劣化を防ぎ結露を防止することができるので、区画壁を有する仕切体を備えた冷凍機器等の用途にも適用できる。
【図面の簡単な説明】
【００６５】
【図１】本発明による冷蔵庫の実施の形態１の正面図
【図２】同実施の形態の冷蔵庫の縦断面図
【図３】同実施の形態の冷蔵庫の冷凍サイクル配管の透視図
【図４】同実施の形態の冷蔵庫の仕切体の断面図
【図５】本発明による冷蔵庫の実施の形態２の冷蔵庫の仕切体の断面図
【図６】本発明による冷蔵庫の実施の形態３の縦断面図
【図７】従来の冷蔵庫の縦断面図
【図８】従来の冷蔵庫の冷凍サイクル配管の透視図
【図９】従来の冷蔵庫の仕切体の断面図
【符号の説明】
【００６６】
１７    冷蔵庫本体
２３    仕切体
２６    冷蔵室扉体
２７    野菜室扉体
３８    前面部
３９    突出部
４０    隙間
４１    延長面
４２    硬質ウレタンフォーム
４３、４４    ガスケット
４３ａ、４４ａ    磁性体
４５，４６    磁性体
４７    前面部
４８    延長面
４９    突出部
５０    ヒータ
５１    真空断熱材
５２    外箱
５３    内箱
【図１】
2005180720.tif 000003
【図２】
2005180720.tif 000004
【図３】
2005180720.tif 000005
【図４】
2005180720.tif 000006
【図５】
2005180720.tif 000007
【図６】
2005180720.tif 000008
【図７】
2005180720.tif 000009
【図８】
2005180720.tif 000010
【図９】
2005180720.tif 000011